(57)【要約】【課題】棚部材の前面側において、表示体保持具の可動範囲を広く確保できる物品陳列什器を提供する。【解決手段】１対の側板３０，３２及び該１対の側板３０，３２間に架設された支持部材３３を有する棚部材３と、プライスカード４４やＰＯＰ等の表示体４４を棚部材３の前方において保持する表示体保持具４とを備えた物品陳列什器１であって、表示体保持具４は、１対のアーム部材４６と１対アーム部材４６の端部同士を連結する連結部材４５により略コ字状に形成され、１対の側板の前方側端部に対し、１対のアーム部材４６がそれぞれ回動可能に軸支されているとともに、所定の回動位置に固定可能とされている。【選択図】図２
2018130151.tif 000002
【特許請求の範囲】
【請求項１】
１対の側板及び該１対の側板間に架設された支持部材を有する棚部材と、プライスカードやＰＯＰ等の表示体を該棚部材の前方において保持する表示体保持具とを備えた物品陳列什器であって、
前記表示体保持具は、１対のアーム部材と該１対アーム部材の端部同士を連結する連結部材により略コ字状に形成され、前記１対の側板の前方側端部に対し、前記１対のアーム部材がそれぞれ回動可能に軸支されているとともに、所定の回動位置に固定可能とされていることを特徴とする物品陳列什器。
【請求項２】
前記棚部材は前後方向の傾斜角度を変更可能な構造とされていることを特徴とする請求項１に記載の物品陳列什器。
【請求項３】
前記支持部材は、少なくとも前記１対の側板の前方側端部に架設される棒状または筒状を具備し、前記表示体保持具は、最も前方側端部に架設される前記棒状または筒状の支持部材に軸支されていることを特徴とする請求項１または２に記載の物品陳列什器。
【請求項４】
前記表示体保持具は、その前記１対のアーム部材が前記１対の側板の軸方向外側に位置していることを特徴とする請求項１ないし３のいずれかに記載の物品陳列什器。
【請求項５】
前記１対の側板の前方側端部は、弧状に形成されていることを特徴とする請求項１ないし４のいずれかに記載の物品陳列什器。
【請求項６】
前記１対の側板は、前記アーム部材を所定の位置に固定する複数の係止部を備えていることを特徴とする請求項１ないし５のいずれかに記載の物品陳列什器。
【発明の詳細な説明】
【技術分野】
【０００１】
本発明は、スーパーマーケット、リカーショップなどにおいて物品を陳列する物品陳列什器に関する。
【背景技術】
【０００２】
スーパーマーケット、リカーショップなどの売り場には、物品を陳列する物品陳列什器が配置されている。物品陳列什器には、上下に亘って複数段の棚部材が設けられるとともに各棚部材の前方にはプライスカード（表示体）が設置され、各棚部材に陳列された物品の価格や物品の説明書きを視認できるようになっている。プライスカードは、異なる高さの各棚部材に設置されていることから、高さによってはプライスカードの視認が難しくなっていた。このようなことから、棚部材の前方に設置されたプライスカードの表示角度を可変することのできる物品陳列什器が使用されていた。
【０００３】
そのような物品陳列什器として例えば、特許文献１に示されるものが提案されている。このショーケース（物品陳列什器）は、上下複数段の棚部材が配置されており、棚部材は、棚板とこの棚板の前端に取り付けられ棚板の幅方向かつ棚板よりも上方まで延在する板状の商品ガードとにより構成されており、この商品ガードには断面略Ｕ字形のプライスレール（表示体保持具）が下方から取り付けられている。また、このプライスレールの商品ガードの前面側に表示体を保持するようになっている。
【０００４】
具体的には、プライスレールの一端を商品ガードの前面に当接させ、プライスレールの略中央部分を商品ガードの下端に当接させ、かつ、プライスレールの他端に設けられた係止溝をプライスレールの裏面側で棚部材底面側の係止片に係合させることで、プライスレールを棚部材に取り付け固定している。そして、棚部材底面側には上下方向に離間する位置に２箇所の係止片が設けられており、プライスレールの他端の係合溝を係合させる係止片を変更することにより、プライスレールの前面側の角度を変更できるようになっている。すなわち、プライスレールの他端の係合溝を、上方側の係止片に係合させるとプライスレールの前面側は略商品ガードの前面と略平行となり、一方、下方側の係止片に係合させるとプライスレールの前面側は略商品ガードの前面に対して傾斜する。
【先行技術文献】
【特許文献】
【０００５】
【特許文献１】特許第３５５６３７０号公報（第５頁、第２図）
【発明の概要】
【発明が解決しようとする課題】
【０００６】
しかしながら、特許文献１のショーケース（物品陳列什器）にあっては、プライスレール（表示体保持具）は、プライスレールの一端は商品ガードの前面に当接されるとともにプライスレールの略中央部分は商品ガードの下端に当接されるため、プライスレールの前面側の移動可能範囲が狭く、プライスレールの前面側すなわち表示体を保持する箇所の傾斜範囲が限られており、種々の物品陳列什器に対し充分に対応できなかった。
【０００７】
本発明は、このような問題点に着目してなされたもので、棚部材の前面側において、表示体保持具の可動範囲を広く確保できる物品陳列什器を提供することを目的とする。
【課題を解決するための手段】
【０００８】
前記課題を解決するために、本発明の物品陳列什器は、
１対の側板及び該１対の側板間に架設された支持部材を有する棚部材と、プライスカードやＰＯＰ等の表示体を該棚部材の前方において保持する表示体保持具とを備えた物品陳列什器であって、
前記表示体保持具は、１対のアーム部材と該１対アーム部材の端部同士を連結する連結部材により略コ字状に形成され、前記１対の側板の前方側端部に対し、前記１対のアーム部材がそれぞれ回動可能に軸支されているとともに、所定の回動位置に固定可能とされている。
この特徴によれば、表示体保持具は、略コ字状に形成されるとともに１対のアーム部材が１対の側板の前方側端部に軸支され、その連結部材が棚部材の前方側端部よりも前方へ離間した位置しているため、広い範囲において回動可能であり且つ、購買者が見やすい角度で表示体保持具を固定させることができる。
【０００９】
前記棚部材は、前後方向の傾斜角度を変更可能な構造とされていることを特徴としている。
この特徴によれば、棚部材の前後方向の傾斜角度のバリエーションが多く且つ表示体を見やすい物品陳列棚を提供できる。
【００１０】
前記支持部材は、少なくとも前記１対の側板の前方側端部に架設される棒状または筒状を具備し、前記表示体保持具は、最も前方側端部に架設される前記棒状または筒状の支持部材に軸支されていることを特徴としている。
この特徴によれば、アーム部材は最も前方の支持部材に軸支されるため、連結部材の前方側への飛び出し量を短く抑えることができるとともに部品点数を少なく構成することができる。
【００１１】
前記表示体保持具は、その前記１対のアーム部材が前記１対の側板の軸方向外側に位置していることを特徴としている。
この特徴によれば、棚部材の１対の側板を外側から囲むように表示体保持具が配置されて軸支されていることから、１対の側板の間に形成される陳列領域を広く確保できる。また、１対の側板の軸方向外側への変形を抑制できる。
【００１２】
前記１対の側板の前方側端部は、弧状に形成されていることを特徴としている。
この特徴によれば、表示体保持具が側板に接触することなく、棚部材の前方側においてより広い範囲で可動させることができる。
【００１３】
前記１対の側板は、前記アーム部材を所定の位置に固定する複数の係止部を備えていることを特徴としている。
この特徴によれば、アーム部材を側板の所定の位置で固定できることから、表示体保持部を棚部前面で係止させることができ、表示体を見易い位置に表示させることができる。
【図面の簡単な説明】
【００１４】
【図１】実施例１における物品陳列什器を示す斜視図である。
【図２】表示体保持具の構造を示す部分分解斜視図である。
【図３】（ａ）〜（ｃ）にかけて表示体保持具の角度を変更する手順を示す側面図である。
【図４】棚部材の角度を変更した例であり、（ａ）は棚部材が略水平に係止された状態を示し、（ｂ）は棚部材が前方へ傾けて係止された状態を示す側断面図である。
【図５】物品陳列什器の変形例を示す図である。
【図６】実施例２における側板を示す図である。
【図７】他の表示体保持具の構造を示す部分分解斜視図である。
【発明を実施するための形態】
【００１５】
本発明に係る物品陳列什器を実施するための形態を実施例に基づいて以下に説明する。
【実施例１】
【００１６】
実施例１に係る物品陳列什器につき、図１から図５を参照して説明する。以下、図１の紙面左下側を物品陳列什器の正面側（前方側）とし、図１の紙面右上側を物品陳列什器の背面側（後方側）とし、その前方側から見たときの上下左右方向を基準として説明する。
【００１７】
実施例１に係る物品陳列什器につき、図１を参照して説明する。実施例１は、室温で保管されるワインボトル５が陳列される物品陳列什器として使用されるものである。
【００１８】
図１に示されるように、本実施例における物品陳列什器１は、背面以外が開放されるように構成された枠体２と、枠体２の背面の壁部２ａに取り付けられ複数のワインボトル５，５，…を陳列可能な複数の棚部材３，３，…と、棚部材３，３に軸支・固定される表示体保持具４，４，…と、から主に構成されている。表示体保持具４にはプライスホルダ４１（図２参照）を着脱可能となっている。
【００１９】
枠体２は、物品陳列什器１の背面を構成し、矩形枠に板材が嵌め込まれることにより構成される壁部２ａと、該壁部２ａの前面に立設する左右一対の後方の支柱２ｈ，２ｈと、該支柱の２ｈ，２ｈの前方に立設する左右一対の前方の支柱２ｂ，２ｂと、後方の支柱２ｈ，２ｈと前方の支柱２ｂ，２ｂの上部をそれぞれ連結する上部連結杆２ｃ，２ｃと、壁部２ａの前面の下部左右両端と支柱２ｂ，２ｂの下部をそれぞれ連結する下部連結杆２ｄ，２ｄと、支柱２ｂ，２ｂの下部を連結する前部連結杆２ｅと、壁部２ａ及び下部連結杆２ｄ，２ｄ及び前部連結杆２ｅにより囲まれる部分に設けられる図示しない底板と、前部連結杆２ｅの上部に取り付けられる前部保護板２ｆと、下部連結杆２ｄ，２ｄの上部にそれぞれ取り付けられる側部保護板２ｇ，２ｇと、から構成されている。
【００２０】
枠体２は、背面以外が開放されるように構成されており、物品陳列什器１の棚部材３，３，…に陳列されるワインボトル５，５，…を前方及び側方から見ることができるようになっている。
【００２１】
棚部材３は、ブラケット３０（側板）と、側縁部材３２（側板）と、側縁部材３２に左右に亘って横架するようにネジ等により固定された複数の支持部材３３とから構成されている。尚複数の支持部材３３の内、最前方に位置するものには説明の便宜上符号３３ａを付している。また、各支持部材３３，３３ａは棒状である。この最前方に位置する支持部材３３ａは、ワインボトル５の底面を支持するようになっており、ワインボトル５の棚部材３からの落下を防止する落下防止として機能している。また、ブラケット３０は、後方の支柱２ｈ，２ｈの正面側全面に上下に亘って備えるブラケット係止孔２０に係止できるようになっている。
【００２２】
図２に示されるように、側縁部材３２は、前後方向に延びる直線状の側部３２ａと、側部３２ａに連なり斜め上方に延びる直線状の端部３２ｂから構成され、端部３２ｂの前方は略円弧状に形成されている。側縁部材３２の端部３２ｂに横架された最前方の支持部材３３ａは、ワインボトル５の底面を支持できるようになっており、ステンレス板の打抜き加工により成形されている。
【００２３】
側縁部材３２の端部３２ｂには、略中央に貫通孔３２ｃが形成されており、この貫通孔３２ｃを基準として端部３２ｂの前端とは反対側に貫通孔３２ｃの軸と略同心かつ中心角が略１２０度の円弧状に円弧型孔部３４が形成されている。円弧型孔部３４は、その周方向の両端部とその略中間部に、放射状に延びる係止部３４ａ，３４ｂ，３４ｃを備えている。詳細は後述するが、係止部３４ａ，３４ｂ，３４ｃには、表示体保持具４の突出部４２が係合するようになっている。最前方の支持部材３３ａには、左右両端部に雌ネジ３１ａが凹設されており、後述する雄ネジ４０を螺合できるようになっている。
【００２４】
表示体保持具４は、一対のアーム部材４６，４６と、それらを前方で連結する板状部材４５（連結部材）と、から主に構成されており、略コ字状に形成されている。アーム部材４６，４６と板状部材４５は、ステンレス等の金属製であり、互いに溶接等で接続されている。
【００２５】
アーム部材４６は、略矩形に形成されており、その長手方向の略中央部に前後方向に延びる小判型孔部４３が形成されており、その後方端部には、他方のアーム部材４６側に突出する突出部４２を備えている。
【００２６】
アーム部材４６は、雄ネジ４０を支持部材３３ａの雌ネジ部３１に螺合させることにより、側縁部材３２を介して、支持部材３３ａの端面と雄ネジ４０の頭部により挟持・固定されるようになっている。
【００２７】
板状部材４５には、プライスカード４４を保持するプライスホルダ４１を着脱可能に保持させることができるようになっている。プライスホルダ４１は、プライスカード４４を収容する保持部４１ｂと、保持部４１ｂの背面側に形成されたクリップ部４１ａとから構成されている。保持部４１ｂは、上方に開口する断面視略Ｕ字状に形成され、自由端側には正面側に傾斜した案内片４１ｃを備えている。プライスカード４４は、案内片４１ｃに案内されて保持部４１ｂの上部を押し広げて、上方から挿入できるようになっている。
【００２８】
板状部材４５は、アーム部材４６，４６間を横架して形成されているため、アーム部材４６，４６を棚部材に３に取り付けた状態で、棚部材３より前方に離間している。これによれば、プライスホルダ４１を着脱させやすく、かつ、表示体保持具４の回動方向の可動範囲が広くできる。
【００２９】
また、板状部材４５は、支持部材３３ａの前方に亘って横架されているため、プライスホルダ４１を板状部材４５の左右方向の任意の位置に保持することができる。
【００３０】
また、表示体保持具４は略コ字状に形成され、アーム部材４６，４６により棚部材３を外側から囲むように接続されていることから、表示体保持具４や側縁部材３２の剛性が高められており、表示体保持具４や側縁部材３２に外力が作用した際に側縁部材３２の左右方向への変形を抑制するようになっている。加えて、支持部材３３ａと表示体保持具４は略矩形を成しているため、該剛性がさらに高められている。
【００３１】
次に、表示体保持具４の角度調整について図３（ａ）〜（ｃ）を用いて説明する。
【００３２】
まず、図３（ａ）に示されるように突出部４２と係止部３４ａが係合され、表示体保持具４が棚部材３に固定されている場合において、雄ネジ４０を緩めると雄ネジ４０の胴部は小判型孔部４３内を移動可能となり、突出部４２を係止部３４ａから離脱させることができる。次いで、図３（ｂ）に示されるように、表示体保持具４を時計方向に回動させると、突出部４２は円弧型孔部３４に沿って移動させることができる。
【００３３】
そして、突出部４２を係止部３４ｂの位置に合わせ、表示体保持具４を斜め下方側に移動させると、突出部４２は係止部３４ｂ内に移動し、図３（ｂ）に示されるように、この係止部３４ｂに係合する。この状態で、雄ネジ４０を締め込むと表示体保持具４は棚部材３に固定される。上述の手順により、表示体保持具４を棚部材３に異なった角度で固定することができるようになっている。このように、表示体保持具４は、雄ネジ４０により棚部材３に対して固定された状態から、雄ネジ４０を緩めることにより雄ネジ４０に対して回動可能に支持、すなわち軸支される状態となる。
【００３４】
また、側縁部材３２の端部３２ｂは、その前端が貫通孔３２ｃを中心に略円弧状に形成されていることから、図３に示すように表示体保持具４を回動させても、表示体保持具４の前方側に位置する板状部材４５は端部３２ｂに干渉されず円滑に回動することができるようになっている。
【００３５】
図４（ａ），（ｂ）に示されるように、略三角形のブラケット３０は、後端に設けられる係止片３０ａ，３０ａ，…と、側縁部材３２と内方側から接続される図示しない接続部から主に構成されている。
【００３６】
係止片３０ａ，３０ａ，…は、後方の支柱２ｈ，２ｈのブラケット係止孔２０に挿入可能になっており、係止片３０ａ，３０ａ，…の係合位置により棚部材３の傾斜角度が変更可能となっている。
【００３７】
物品陳列什器１において、上下に亘って多数の棚部を設け物品を陳列する場合は、図４（ａ）に示されるように、棚部材３の傾斜角度を少なくし、その傾斜角度や陳列位置に合わせて表示体保持具４の係合位置を変更し、購買者の見やすい位置に向けてプライスカード４４を表示させることができる。
【００３８】
また、図４（ｂ）に示されるように、ワインボトル５のラベルを購買者に見易く表示させたり、体積の大きい物品を陳列させる場合は、棚部材３の傾斜角度を大きくし、その傾斜角度や陳列位置に合わせて表示体保持具４の係合位置を変更し、購買者の見やすい位置に向けてプライスカード４４を表示させることができる。
【００３９】
図５は、物品陳列什器１の構成を変更し、ワイン等の品質を維持することができる適正な温度及び湿度等に庫内環境を管理可能な冷蔵ショーケース１１内に棚部材３を設け、ワインボトル５を陳列した変形例である。前面板１２，１２は透光性を備え、内部に陳列されたワインボトル５が視認できるようになっており、表示体保持具４を前方側で回動させても接触しない位置で閉塞されるようになっている。
【実施例２】
【００４０】
以下、この発明の実施例２について図６を参照して説明する。実施例１では、係止部３４ａ〜３４ｃが円弧型孔部３４の外方へ形成されていたが、実施例２では、係止部３４ｅ〜３４ｆが円弧型孔部３４の内方へ形成されている点が相違する。尚、その他の構成については同一であるため、説明は省略する。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、実施例１、２では、アーム部材４６，４６を板状部材４５より連結する例について説明したが、これに限られない。例えば図７に示すように、上下方向の離間させた位置に２本の線状部材４５’，４５’（連結部材）を横過させた構成でもよく、この場合には、プライスホルダ４１のクリップ部４１ａは上下２箇所で支持されるため、表示体保持具４を軽量としながらも、安定してプライスホルダ４１を線状部材４５’，４５’に取り付けることができる。
【００４３】
また、前記実施例１では、棚部材３を構成する支持部材３３は棒状部材であると記述したが、その限りではなく、板状部材であってもよい。さらに、複数の支持部材３３，３３，・・・に代えて一の部材の支持部材であってもよい。
【００４４】
加えて、ブラケット３０と側縁部材３２ブラケットとが別部材であると記述したが、その限りではなく一体であってもよい。
【００４５】
また、円弧型孔部３４は、側縁部材３２の端部３２ｂに形成された貫通孔３２ｃより後方に形成されていると記述したが、その限りではなく、貫通孔３２ｃに対し、前方または側方に形成されていてもよい。
【００４６】
また、円弧型孔部３４は、側縁部材３２に形成されていると記述したが、その限りではなく、アーム部材４６に円弧型孔部を形成し、側縁部材３２に突出部を設け係合させてもよい。
【００４７】
さらに、１対のアーム部材４６がそれぞれ回動可能に軸支されているとともに、所定の回動位置に固定可能であればよく、例えばトルクヒンジ等を用い無段階に調整可能な軸支・固定構造であってもよい。
【００４８】
また、表示体保持具４は、支持部材３３ａまたは雄ネジ４０の胴部に軸支されていると記述したが、その限りではなく、側縁部材３２に軸支されていてもよい。
【符号の説明】
【００４９】
１            物品陳列什器
２ｈ          支柱
４            表示体保持具
５            ワインボトル
２０          ブラケット係止孔
３０          ブラケット（棚部材）
３０ａ        係止片
３１ａ        雌ネジ
３２          側縁部材（棚部材）
３２ｃ        貫通孔
３３          支持部材（棚部材）
３３ａ        支持部材（棚部材）
３４          円弧型孔部
３４ａ，３４ｂ，３４ｃ    係止部
３４ｄ，３４ｅ，３４ｆ    係止部
４０          雄ネジ
４１          プライスホルダ
４２          突出部
４３          小判型孔部
４４          プライスカード（表示体）
４５          板状部材（連結部材）
４６          アーム部材
【図１】
2018130151.tif 000003
【図２】
2018130151.tif 000004
【図３】
2018130151.tif 000005
【図４】
2018130151.tif 000006
【図５】
2018130151.tif 000007
【図６】
2018130151.tif 000008
【図７】
2018130151.tif 000009